(57)【要約】【課題】種々の使用状況で、主グリップに対するエルゴノミクス的に最適なホールド状態が得られるようにした手工具装置を得る。【解決手段】面取り研削装置のような手工具装置２であって、ツール１０を固定可能にする装置ヘッド６を設けた装置ハウジング４を有し、またツール側端部とは反対側の端部に主グリップ１４を連結し、この主グリップ１４を装置ハウジング４に対して移動軸線Ｂの周りに調整可能にした該手工具装置において、主グリップ１４を移動軸線Ｂに対して傾斜角度調整可能にする。好適には、主グリップ１４を湾曲した移動経路Ｐに沿って移動させることによって傾斜角度を調整可能にし、また移動経路Ｐを、移動軸線Ｂに平行な平面Ｅ上に存在するようにする。さらに、好適には、主グリップ１４をＤ字状に構成し、また湾曲素子１８を主グリップ１４の湾曲形状部分によって構成する。【選択図】図１
2006035419.tif 000002
【特許請求の範囲】
【請求項１】
とくに、面取り研削装置のような手工具装置（２）であって、ツール（１０）を固定可能にする装置ヘッド（６）を設けた装置ハウジング（４）を有し、またツール側端部とは反対側の端部に主グリップ（１４）を連結し、この主グリップ（１４）を前記装置ハウジング（４）に対して移動軸線（Ｂ）の周りに調整可能にした該手工具装置において、前記主グリップ（１４）を前記移動軸線（Ｂ）に対して傾斜角度調整可能にしたことを特徴とする手工具装置。
【請求項２】
前記主グリップ（１４）を湾曲した移動経路（Ｐ）に沿って移動させることによって前記傾斜角度を調整可能にした請求項１記載の手工具装置。
【請求項３】
移動経路（Ｐ）を、移動軸線（Ｂ）に平行な平面（Ｅ）上に存在するようにした請求項１又は２記載の手工具装置。
【請求項４】
湾曲した移動経路（Ｐ）を、装置ハウジング（４）と主グリップ（１４）との間の連結構体によって規定し、この連結構体に設けた摺動軸受により湾曲素子（１８）を移動自在に保持し、前記湾曲素子（１８）を固定手段（２４）によって前記摺動軸受に固定可能にした請求項１乃至３のうちのいずれか一項に記載の手工具装置。
【請求項５】
前記主グリップ（１４）をＤ字状に構成し、また前記湾曲素子（１８）を前記主グリップ（１４）の湾曲形状部分によって構成した請求項４記載の手工具装置。
【請求項６】
前記湾曲素子（１８）と前記固定手段（２４）との間で、湾曲形状の移動経路（Ｐ）の方向に釈放自在の形状ロックを生ずるようにした請求項４又は５記載の手工具装置。
【請求項７】
湾曲素子（１８）に対して押圧力を加える固定手段（２４）の掛合素子（２６）が、湾曲素子（１８）に設けた複数個の掛合溝（３０）に嵌合して形状ロックを生ずるようにした請求項６記載の手工具装置。
【請求項８】
主グリップ（１４）を装置ハウジング（４）に対して回転自在に保持し、また回転防止手段（４０）によって、前記主グリップ（１４）を装置ハウジング（４）に対して形状ロックで固定可能にした請求項１乃至７のうちのいずれか一項に記載の手工具装置。
【請求項９】
前記主グリップ（１４）を、連結構体を介して装置ハウジング（４）に対して回転自在な支持素子（１２）に保持し、装置ハウジング（４）に押圧力を加える安全素子（４２）を配置し、前記安全素子（４２）が、装置ハウジングに設けた複数個の安全溝（４６）のうちの一つに嵌合して固定することができるようにした請求項８記載の手工具装置。
【発明の詳細な説明】
【技術分野】
【０００１】
本発明は、モータ駆動のとくに、面取り研削装置のような手工具装置であって、ツールを固定可能にする装置ヘッドを設けた装置ハウジングを有し、またツール側端部とは反対側の端部に主グリップを連結し、この主グリップを前記装置ハウジングに対して移動軸線の周りに調整可能にした該手工具装置に関するものである。
【背景技術】
【０００２】
このような手工具装置は、異なる使用状況に適合するよう調整可能な主グリップによって調整することができ、主グリップは装置ハウジングに対して回転するか、角度を変化させる。主グリップとは、例えば、必要に応じて装着できる付加的な側方グリップとは異なり、手工具装置で永続的に使用するために設けたグリップを意味し、手工具装置の使用の度毎に、使用者の手が必ず掴むものである。
【０００３】
主グリップをモータハウジングに対して長手方向軸線の周りに回転自在に保持した面取り研削装置がある。（例えば、特許文献１参照。）この装置では、モータハウジングに支持筒を設け、この支持筒に十字型回転バーを回転自在に保持し、この十字型回転バーに主グリップを固定する。さらに、モータハウジングと十字型回転バーとの間の形状ロック式錠止装置として作用する固定装置を設ける。
【特許文献１】独国特許第４１０２４８３号明細書
【発明の開示】
【発明が解決しようとする課題】
【０００４】
しかし、この既知の装置には、手工具装置の幾つかの使用状況では、主グリップの回転自在の支持にもかかわらず、主グリップにおけるエルゴノミクス的に最適なホールド状態が得られないという欠点がある。したがって、例えば、底面領域または頂面領域を仕上げる作業の際に主グリップを持つ手は、大きくねじらなければならなくなる。このことは、作業者の健康を大きく損ね、また早く疲労させることになる。
【０００５】
したがって、本発明の目的は、従来の手工具装置の欠点を軽減し、種々の使用状況で、主グリップに対するエルゴノミクス的に最適なホールド（手持ち）状態が得られるようにした手工具装置を得るにある。
【課題を解決するための手段】
【０００６】
この目的を達成するため、本発明手工具装置は、移動軸線周りの調整自在能力の他に、移動軸線に対する傾斜角度を調整自在にしたことを特徴とする。
【発明の効果】
【０００７】
本発明によれば、装置ハウジングに対する主グリップの可変回転角度位置の他に、装置ハウジングに対する主グリップの傾斜角度も変化させることができる。このようにして、装置ハウジングに対する主グリップの配置を多様な向きにして持つことができるようになる。したがって、手工具装置の多くの使用状況に対して、エルゴノミクス的に最適な主グリップに対するホールド状態が得られる。
【発明を実施するための最良の形態】
【０００８】
本発明の好適な実施例においては、主グリップを湾曲した移動経路に沿って移動させることによって前記傾斜角度を調整可能にする。この構成により、装置ハウジングに対して移動経路に沿って移動する際に主グリップは回転する。このことにより、主グリップは、とくに安定する。さらに、主グリップと装置ハウジングとの間で多くの異なる傾斜角度位置が得られるようになる。
【０００９】
湾曲形状の移動経路を、主グリップの移動軸線周りの各回転状態で、移動軸線に平行な平面上に存在するようにすると好適である。このようにして、主グリップは、一方では移動軸線の周りに、他方では、この移動軸線に直交した固定のまたは仮想的な回転軸線の周りに調整自在となり、予想されるあらゆる使用状況に対してエルゴノミクス的に最適な主グリップのホールド状態が得られる。
【００１０】
本発明の好適な実施例においては、湾曲した移動経路を、装置ハウジングと主グリップとの間の連結構体によって規定し、この連結構体に設けた摺動軸受により湾曲素子を移動自在に保持し、前記湾曲素子を固定手段によって前記摺動軸受に固定可能にする。この構成によれば、湾曲素子の極めて安定した案内と固定を行うことができるようになる。
【００１１】
好適には、主グリップをＤ字状に構成し、また湾曲素子を主グリップの湾曲形状部分によって構成する。この主グリップおよび湾曲素子の一体構成によれば、製造コストが安価となり、また装置ハウジングに対して主グリップを安定して固定することができるようになる。
【００１２】
好適な実施例においては、湾曲素子と固定手段との間で、湾曲形状の移動経路の方向に釈放自在の形状ロックを生ずるようにする。この構成により、主グリップを装置ハウジングに対して確実に、かつ僅かなあそびで異なる位置に固定することができる。
【００１３】
この場合、湾曲素子に対して押圧力を加える固定手段の掛合素子が、湾曲素子に設けた複数個の掛合溝に嵌合して形状ロックを生ずるようにすると、とくに好適である。この構成によれば、このような形状ロックを簡単に製造することができる。
【００１４】
とくに好適な実施例においては、主グリップを装置ハウジングに対して回転自在に保持し、また回転防止手段によって、主グリップを装置ハウジングに対して形状ロックで固定可能にする。この構成によれば、主グリップを、装置ハウジングに対して安定した状態で移動軸線周りの多くの回転位置に固定することができる。
【００１５】
この場合、主グリップを、連結構体を介して装置ハウジングに対して回転自在な支持素子に保持し、装置ハウジングに押圧力を加える安全素子を配置し、安全素子が、装置ハウジングに設けた複数個の安全溝のうちの一つに嵌合して固定することができるようにすると好適である。このような支持素子によれば、主グリップの装置ハウジングに対する安定した多くの可変位置での固定可能性をもたらす。さらに、装置ハウジングに支持素子を固定するためには、湾曲素子を支持素子に固定するのと同様の手段を使用できる。このようにして手工具装置の製造コストを低減することができる。
【００１６】
次に、図面につき本発明の好適な実施例を説明する。
【実施例１】
【００１７】
図１に装置ハウジング４を有する面取り装置の形式の手工具装置２を示す。この装置ハウジング４は、ツール側端部に装置ヘッド６を設け、ディスクツールの形式のツール１０を収容するためのツール収容部８を設ける。
【００１８】
装置ハウジング４のツール側端部とは反対側のグリップ側端部に支持素子１２を設け、この支持素子１２は、移動軸線Ｂの周りに回転方向Ｄに方向に回転可能に装置ハウジング４を保持する。移動軸線Ｂは、ほぼ円筒形の装置ハウジング４の長手方向主軸線に一致する。
【００１９】
支持素子１２によって、Ｄ字状の主グリップ１４を装置ハウジング４に恒久的に連結する。この主グリップ１４は、支持素子１２と一緒に移動軸線Ｂの周りに、装置ハウジング４に対して、一点鎖線で示す他の回転位置に回転することができる。
【００２０】
主グリップ１４は、主に、直線グリップ素子１６と、湾曲素子１８とにより一体に構成する。湾曲素子１８は、この湾曲素子の長さ方向に沿って支持素子１２に対して移動自在に保持し、したがって、主グリップ１４は、移動の際に、円弧状に湾曲した移動経路Ｐに沿って強制的に案内される。この移動経路Ｐは、支持素子１２の装置ハウジング４に対する回転位置に基づいて、移動軸線Ｂに平行な平面Ｅに整列する。
【００２１】
主グリップ１４は、湾曲素子１８が円弧状であるため、移動の際には、固定の移動軸線Ａの周りに回転し、ハッチングで示した装置ハウジング４に対して傾斜した状態に変化する。代案として、湾曲素子１８は、通過する円弧とは異なる形状にすることもできる。この場合、主グリップは、移動の際に、仮想の即ち、移動の際に位置が変化する回転軸線Ａの周りに回転する。
【００２２】
図２から明らかなように、主グリップ１４は、湾曲素子１８によって、摺動軸受として作用する案内チャンネル２２内に保持される。この案内チャンネル２２は、湾曲素子１８と一緒に、支持素子１２に対する主グリップ１４の移動経路Ｐを規定する連結構体を構成する。この連結構体には、更に、固定手段２４を設ける。この固定手段２４は、溝に嵌合する核体の形式の掛合素子２６により構成し、支持素子１２に支持したばね２８によって、この掛合素子２６を湾曲素子１８に押し付ける。これにより、掛合素子２６は湾曲素子１８に複数個設けた掛合溝のうち一つの掛合溝に入り込む。このようにして、移動経路Ｐの方向における、主グリップ１４と支持素子１２との間において形状ロックを生ずる。
【００２３】
この形状ロックを解除するため、掛合素子２６に、操作可能な操作素子３２を連結し、ばね２８の力に抗して掛合素子２６を掛合溝３０から抜き出すことができる。この後、湾曲素子１８を移動経路Ｐに沿って案内チャンネル２２で移動させる。これにより、主グリップ１４は回転軸線Ａの周りに、図１に点線で示したように回転する。手工具装置の使用に人間工学的に適した掛合素子１６の装置ハウジング４に対する所望の傾斜角度が得られたら、操作素子３２を再び釈放する。これにより、掛合素子２６は、ばね２８の力によって、新たに固定手段２４で位置決めされた掛合溝３０内に押し込まれ、支持素子１２に対して主グリップ１４が再び形状ロックされる。
【００２４】
図２から明らかなように、装置ハウジング４に、カラー３６を有する支持部３４を設ける。このカラー３６は、支持素子１２の内側端縁３８に掛合し、装置ハウジング４に対する支持素子１２の回転方向Ｄへの回転が可能になる。
【００２５】
装置ハウジング４に対する支持素子１２の回転を阻止する固定を行うため、図３に示すように、ほぼ固定手段２４に対応する回転防止手段４０を設ける。回転防止手段４０は、溝に嵌合する核体の形式の安全素子４２を設け、この安全素子４２をばね４４によって装置ハウジング４に押し付け、これにより、装置ハウジング４において円弧に沿って複数個配列した安全溝４６のうちの一つに嵌合させる。これにより、支持素子１２と装置ハウジング４との間の回転方向Ｄに対する形状ロックを生ずる。
【００２６】
この形状ロックを解除するため、支持素子１２の外面に窪み４８を設け、安全素子４２に連結した解錠素子５０を外部から移動させることができるようにする。解錠素子５０の操作によって、安全素子４２は、ばね４４の力に抗して安全溝４６から抜き出すことができる。この後、支持素子１２は、主グリップ１４と一緒に移動軸線Ｂの周りに、装置ハウジング４に対する新たな回転位置に回転し、他の安全溝４６に掛合できるようにする。
【００２７】
図２および図３から明らかなように、湾曲素子１８には、湾曲形状の２個の案内溝５２を設け、案内チャンネル２２における案内リップ５４に連係動作できるようにし、支持素子１２に対する主グリップ１４の安定的な案内と固定を保証する。
【図面の簡単な説明】
【００２８】
【図１】本発明による手工具装置の側面図である。
【図２】図１の手工具装置の主グリップを示す部分拡大図である。
【図３】図２から９０゜回転した位置での主グリップを示す部分拡大図である。
【符号の説明】
【００２９】
２  手工具装置
４  装置ハウジング
６  装置ヘッド
８  ツール収容部
１０  ツール
１２  支持素子
１４  主グリップ
１６  直線グリップ素子
１８  湾曲素子
２２  案内チャンネル
２４  固定手段
２６  掛合素子
２８  ばね
３０  掛合溝
３２  操作素子
３４  支持部
３６  カラー
３８  内側端縁
４０  回転防止手段
４２  安全素子
４４  ばね
４６  安全溝
４８  窪み
５０  解錠素子
５２  案内溝
５４  案内リップ
【図１】
2006035419.tif 000003
【図２】
2006035419.tif 000004
【図３】
2006035419.tif 000005